(57)【要約】【課題】簡単な操作で外部接続された記録再生機器に記録中の情報を再生させる。【解決手段】  情報処理装置（１１）において、ネットワーク等で外部接続される情報記録再生装置（２７）の機能を接続時に把握しておき、情報記録再生装置（２７）が記録状態であるとき、記録中の情報を再生する追っかけ再生の指示入力に応答して情報記録再生装置（２７）に記録中の情報を再生するように指示する。【選択図】    図１
2006094411.tif 000002
【特許請求の範囲】
【請求項１】
情報記録再生装置を外部接続するための外部接続手段と、
前記情報記録再生装置の処理状態を認識する処理状態認識手段と、
前記情報記録再生装置が記録状態であるとき、記録中の情報を再生する指示入力に応答して前記情報記録再生装置に記録中の情報を再生するように指示する再生指示手段とを具備することを特徴とする情報処理装置。
【請求項２】
前記処理状態認識手段は、予め前記外部接続される情報記録再生装置が記録中に記録情報の再生が可能な機種か否かを把握し、記録中の情報を再生可能な機種の場合にのみ前記指示入力に応答することを特徴とする請求項１記載の情報処理装置。
【請求項３】
前記再生指示手段は、前記情報記録再生装置が前記記録中の情報を再生することができないとき、ワーニングを提示することを特徴とする請求項１記載の情報処理装置。
【請求項４】
外部接続される情報記録再生装置の処理状態を認識する処理状態認識工程と、
前記情報記録再生装置が記録状態であるとき、記録中の情報を再生する指示入力に応答して前記情報記録再生装置に記録中の情報を再生するように指示する再生指示工程とを具備することを特徴とする情報処理装置の外部機器制御方法。
【請求項５】
前記処理状態認識工程は、予め前記外部接続される情報記録再生装置が記録中に記録情報の再生が可能な機種か否かを把握し、記録中の情報を再生可能な機種の場合にのみ前記指示入力に応答することを特徴とする請求項４記載の情報処理装置の外部機器制御方法。
【請求項６】
前記再生指示工程は、前記情報記録再生装置が前記記録中の情報を再生することができないとき、ワーニングを提示することを特徴とする請求項４記載の情報処理装置の外部機器制御方法。
【発明の詳細な説明】
【技術分野】
【０００１】
この発明は、例えば番組記録再生が可能な映像記録再生措置を外部接続可能とするデジタルテレビ受信機等の情報処理装置に係り、映像記録再生装置がいわゆるおっかけ再生が可能な場合の外部機器制御方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）、ＤＶＤ（Digital Versatile Disk）のような大容量のデジタル記録再生機器を外部接続することにより、受信した番組をデジタル記録したり、記録した番組を再生したりすることが可能となっている。また、ネットワークを通じて映像機器をアクセスし利用する機能を備えて付加価値を高めた装置も提供されている。
【０００４】
このように、デジタル放送受信装置では、多種多様な映像機器が種々のインターフェースを通じて接続可能となっており、外部接続された複数の機器に対して、機器の選択、コンテンツの選択、を順に操作することによって、任意の機器に所望のコンテンツを記録または再生することが可能となっている。
【０００５】
一方、最近のＨＤＤ／ＤＶＤレコーダにあっては、記録中のコンテンツを再生してモニタする、いわゆる追っかけ再生機能が搭載されている。この機能は、レコーダ側で制御する場合には特にユーザの操作性に影響しないが、上記のようにデジタル放送受信装置に接続して、受信装置側からレコーダを制御する場合には、上記のような機器の選択、コンテンツの選択といった操作を順に行う必要があり、煩雑なものとなっている。ＨＤＤ／ＤＶＤレコーダに搭載される追っかけ再生は、すぐに録画中の番組を再生したい要求があるため、上述のような操作の手間にユーザの不評が高まっている。
【０００６】
尚、上記追っかけ再生に関する技術に関しては、例えば特許文献１及び２にその概要が示されている。しかしながら、これらの文献には、いずれも外部接続された記録再生機器に対して受信装置側から追っかけ再生を行うように制御するための構成は示されていない。
【特許文献１】特開２００４−０４８５２５号公報
【特許文献２】特開２００４−２０７９７５号公報
【発明の開示】
【発明が解決しようとする課題】
【０００７】
以上述べたように、デジタル放送受信装置のような情報処理装置では、多種多様な映像機器が種々のインターフェースを通じて接続可能となってきているが、情報処理装置側から記録再生機器を制御する場合には、機器の選択、情報の選択といった操作を順に行う必要があり、いわゆる追っかけ再生の機能を制御する場合には返って煩雑なものとなっている。
【０００８】
そこで、この発明は上記事情を考慮してなされたもので、簡単な操作で外部接続された記録再生機器に記録中の情報を再生させることのできる情報処理装置と外部機器制御方法を提供することを目的とする。
【課題を解決するための手段】
【０００９】
この発明に係る情報処理装置は、情報記録再生装置を外部接続するための外部接続手段と、前記情報記録再生装置の処理状態を認識する処理状態認識手段と、前記情報記録再生装置が記録状態であるとき、記録中の情報を再生する指示入力に応答して前記情報記録再生装置に記録中の情報を再生するように指示する再生指示手段とを具備することを特徴とするものである。
【００１０】
また、この発明に係る情報処理装置の外部機器制御方法は、外部接続される情報記録再生装置の処理状態を認識する処理状態認識工程と、前記情報記録再生装置が記録状態であるとき、記録中の情報を再生する指示入力に応答して前記情報記録再生装置に記録中の情報を再生するように指示する再生指示工程とを具備することを特徴とするものである。
【発明の効果】
【００１１】
上記した発明によれば、情報処理装置側で外部接続の情報記録再生装置の処理状態を認識し、記録中の情報再生指示があった場合に指定の外部装置に記録中の情報を再生するように指示することが可能となっている。これにより、簡単な操作で外部接続された記録再生機器に記録中の情報を再生させることのできる情報処理装置と外部機器制御方法を提供することができる。
【発明を実施するための最良の形態】
【００１２】
以下、この発明の実施の形態について図面を参照して詳細に説明する。
【００１３】
図１は、この実施の形態で説明するデジタルテレビジョン放送受信装置１１の外観と、このデジタルテレビジョン放送受信装置１１を中心として構成されるネットワークシステムの一例を概略的に示している。
【００１４】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１５】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１６】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１７】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１８】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１９】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００２０】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２１】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２２】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２３】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２４】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２５】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２６】
そして、このチューナ４５で選局された放送信号は、ＰＳＫ（Phase Shift Keying）復調器４６に供給されて、デジタルの映像信号及び音声信号に復調された後、信号処理部４７に出力される。
【００２７】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２８】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２９】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００３０】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３１】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３２】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３３】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３４】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換したり、表示色を任意に調整したりして、映像表示器１４に出力して映像表示させるとともに、出力端子５９を介して外部に導出させる。この映像処理部５８はリモコン１７からの指示に応答して、制御部６１の制御の基に色調整が可能で、自動色調整モードとユーザが好みによって調整する手動調整モードで動さ可能である。
【００３５】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３６】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３７】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３８】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３９】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００４０】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４１】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４２】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４３】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４４】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４５】
以上のように、上記受信装置１１には、第１及び第２のメモリカード１９，２０を装着するためのカードホルダ６６、６８、ＮＡＳ接続専用の第１のＬＡＮ端子２１、一般のネットワーク対応映像機器と接続するための第２のＬＡＮ端子２２の他、各種映像機器を接続するためのＵＳＢ（Universal Serial Bus）端子２３及びｉ．Link端子２４を備え、いずれも制御部６１によって接続状態が管理されている。これらのホルダまたは端子に映像機器を接続する場合には、手動または自動によって「どこ」に「何」が「いつ」接続されているかを示す接続情報が制御部６１の不揮発性メモリ６４に設定登録される。
【００４６】
ここで、上記したデジタルテレビジョン放送受信装置１１の有する予約機能について説明する。この予約機能には、放送予定されている番組を指定して予約を行なう番組指定予約と、チャンネル及び日時を指定して予約を行なう日時指定予約との２種類がある。また、番組指定予約には、指定した番組を指定した録画機器またはメモリカード等の記録媒体に録画する録画予約と、指定した番組の選局のみを行なう視聴予約とがある。さらに、日時指定予約にも、指定したチャンネル及び日時の放送内容を指定した録画機器またはメモリカードの記録媒体に録画する録画予約と、指定したチャンネル及び日時の放送の選局のみを行なう視聴予約とがある。ここでは説明を簡単にするため、番組指定予約の場合について説明するが、日時指定予測の場合も同様の手法で対応することができる。
【００４７】
図４は、上記デジタルテレビジョン放送受信装置１１に対して、番組指定予約を設定する動作を説明するためのフローチャートを示している。この動作は、ユーザがリモートコントローラ１７の番組表キー１７ｈを操作することにより、開始（ステップＳ４ａ）される。
【００４８】
すると、制御部６１は、ステップＳ４ｂで、放送信号から予め取得しておいたＥＰＧ（Electronic Program Guide）情報に基づいて、図５（ａ）に示すような電子番組表を映像表示器１４に表示させる。
【００４９】
これにより、ユーザは、電子番組表の中から所望の番組を選択設定することができる。この選択設定は、リモートコントローラ１７のカーソルキー１７ｆを操作して所望の番組を選択し、決定キー１７ｇを操作することにより実行される。
【００５０】
このため、制御部６１は、ステップＳ４ｃで、電子番組表の中から所望の番組が選択設定されたことを検知すると、ステップＳ４ｄで、図５（ｂ）に示すような予約選択画面を表示させる。
【００５１】
この予約選択画面では、先に選択設定した番組に対する放送チャンネル、放送日、内容の概略説明等が表示され、録画予約か視聴予約かをユーザに選択させることができる。この選択も、リモートコントローラ１７のカーソルキー１７ｆを操作して録画予約か視聴予約かを選択し、決定キー１７ｇを操作することにより実行される。
【００５２】
そして、制御部６１は、ステップＳ４ｅで、録画予約及び視聴予約のいずれが選択されたかを判別し、視聴予約が選択されたと判断された場合、ステップＳ４ｆで、視聴予約のために設定された各情報を不揮発性メモリ６４に格納して視聴予約設定を完了し、処理を終了（ステップＳ４ｉ）する。このように視聴予約が設定されることにより、選択された番組が自動的に選局され視聴に供されるようになる。
【００５３】
また、上記ステップＳ４ｅで録画予約が選択されたと判断された場合、制御部６１は、ステップＳ４ｇで、図５（ｃ）に示すような録画予約設定画面を表示させる。この録画予約設定画面では、先に選択設定した番組を録画予約するか否かの選択、録画するデジタル録画機器または記録媒体の指定等を行なうことができる。
【００５４】
そして、制御部６１は、録画予約設定画面において録画予約が要求され種々の必要項目が設定された場合に、ステップＳ４ｈで、録画予約のために設定された各情報を不揮発性メモリ６４に格納して録画予約設定を完了し、処理を終了（ステップＳ４ｉ）する。このように録画予約が設定されることにより、選択された番組が、指定されたデジタル録画機器または記録媒体に自動的に録画されるようになる。
【００５５】
上記構成によるデジタル放送受信装置において、以下、本発明の特徴とする外部接続機器の制御内容について説明する。ここでは、例として、第２のＬＡＮ端子２２にハブ２６を介して接続されるＬＡＮ対応ＨＤＤ２７が追っかけ再生機能を搭載しているものとし、受信装置１１側からＨＤＤ２７を指定して番組録画を予約し、その録画開始後に追っかけ再生を行う場合を想定する。
【００５６】
まず、外部接続機器の機能については、接続設定時に、機器識別情報、記録位置（パス）情報と共に、図２に示した制御部６１の不揮発性メモリ６４に登録される。
【００５７】
ユーザがＨＤＤ２７を指定して受信番組の録画を予約してあり、その録画開始後、ユーザがその番組を最初から視聴したいという要望を想定し、上記受信装置１１に追っかけ再生機能を搭載させる。この追っかけ再生機能は、リモコン１７のクイックボタン１７ｅのオン操作に応答して、例えば図６に示すように、画面上に表示されるクィックメニューの中にある選択項目の一つとなっている。このメニュー中の追っかけ再生項目をリモコン１７のカーソル１７ｂで選択し、決定キー１７ｇのオン操作によって決定すると、以下、図７に示す手順で追っかけ再生が実行される。
【００５８】
まず、リモコン１７のカーソル操作によって追っかけ再生が起動された場合には（ステップＳ７ａ）、自装置１１を通じて録画予約されて録画が開始された機器があるか否かを判断し（ステップＳ７ｂ）、予約録画機器がない場合にはその旨表示する（ステップＳ７ｃ）。
【００５９】
ここで、該当機器がある場合には、当該機器が追っかけ再生機能を搭載するか否かを判断し（ステップＳ７ｄ）、搭載していない場合にはワーニング表示する（ステップＳ７ｅ）。
【００６０】
該当機器が追っかけ再生機能を搭載する場合には、録画中の番組を検出し、再生開始位置を指定する（ステップＳ７ｆ）。選択肢としては、録画開始位置から、ｘ分前（ｘを指定入力）から、記録直後から等がある。
【００６１】
録画中の番組の再生開始位置が指定された場合には、その番組が、及び指定位置から再生可能か否か判断する（ステップＳ７ｇ）。すなわち、機器のパフォーマンス、データの記録状態等によっては必ずしも録画中に再生できるとは限らない。また、現在のＮＡＳでは録画番組がハイビジョン放送番組であった場合には、デコード処理が間に合わず、追っかけ再生することはできない。
【００６２】
以上のことから、おっかけ再生開始前にその再生の可否を判断する。再生ができない場合にはワーニング表示する（ステップＳ７ｈ）。再生可能な場合には、指定位置からの再生を指示し、該当機器からの再生信号を受け取って録画番組の追っかけ再生を実行する（ステップＳ７ｉ）。
【００６３】
したがって、上記構成によるデジタルテレビジョン放送受信装置では、外部接続機器に対して予約録画を実施し、当該機器が追っかけ再生対応機器である場合には、録画開始後に任意の位置から追っかけ再生させることが可能である。この場合、接続機器を選択し、追っかけ再生を開始させるのではなく、受信装置１１から録画中の機器を選択しておっかけ再生機能を搭載するか否かを判断し、搭載している場合にその機器に録画中の番組を所望の位置から再生させるようにしている。このため、ユーザは煩雑な操作を行うことなく、記録中の番組を好きな箇所から再生することが可能となり、外部接続機器の追っかけ再生機能を十分に発揮させることができる。
【００６４】
尚、上記実施形態では、ＬＡＮ接続の外部機器を例に説明したが、i.Link接続、ＵＳＢ接続等の他のインターフェース接続の場合でも同様に実施可能である。
【００６５】
以上、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６６】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置に対して、番組指定予約を設定する動作を説明するためのフローチャート。
【図５】同実施の形態におけるデジタルテレビジョン放送受信装置に番組指定予約を設定する際の各種設定画面の一例を説明するために示す図。
【図６】同実施の形態におけるデジタルテレビジョン放送受信装置のクィックメニューの表示例を示す図。
【図７】同実施の形態におけるデジタルテレビジョン放送受信装置で処理する外部接続機器の追っかけ再生機能を説明するための処理フローを示すフローチャート。
【符号の説明】
【００６７】
１１…デジタルテレビジョン放送受信装置、１２…キャビネット、１３…支持台、１４…映像表示器、１５…スピーカ、１６…操作部、１７…リモートコントローラ、１８…受光部、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ（Interface）、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。
【図１】
2006094411.tif 000003
【図２】
2006094411.tif 000004
【図３】
2006094411.tif 000005
【図４】
2006094411.tif 000006
【図５】
2006094411.tif 000007
【図６】
2006094411.tif 000008
【図７】
2006094411.tif 000009